(57)【要約】【課題】軒樋の長手方向の端部と入隅用曲がり樋の長手方向の端部との間から雨水が零れ落ちるのを確実に防止する。【解決手段】前壁１から連出した連出片４に前耳部５を設けると共に軒樋吊り具Ｄの先端の前係止部９を挿入係止し得る隙間６を前壁１の上端部と連出片４と前耳部５で囲まれた部分に下方を開口するように設けた軒樋Ａを屋根１３の軒先に沿って配置する。軒樋Ａと同一の断面形状で平面から見て略Ｌ字状に形成せる入隅用曲がり樋Ｂを屋根１３の入隅部の軒先に沿って配置する。軒樋Ａの長手方向の端部と入隅用曲がり樋Ｂの端部とを対向させ、軒樋Ａや入隅用曲がり樋Ｂの内周に沿う内継手Ｃを軒樋Ａの端部と入隅用曲がり樋Ｂの端部との間に亙るように嵌め込む。入隅用曲がり樋Ｂの端部で前壁１の上端部と連出片４と前耳部５と内継手Ｃの前壁１′の上端部とで囲まれた隙間６を閉塞する乾式のシール材１７を隙間６に装填する。【選択図】        図１
2004324110.tif 000002
【特許請求の範囲】
【請求項１】
前壁の上端から後方に連出した連出片に前耳部を設けると共に軒樋吊り具の先端の前係止部を挿入係止し得る隙間を前壁の上端部と連出片と前耳部で囲まれた部分に下方を開口するように設けた軒樋を屋根の軒先に沿って配置し、上記軒樋と同一の断面形状で平面から見て略Ｌ字状に形成せる入隅用曲がり樋を屋根の入隅部の軒先に沿って配置し、軒樋の長手方向の端部と入隅用曲がり樋の端部とを対向させ、軒樋や入隅用曲がり樋の内周に沿う内継手を軒樋の端部と入隅用曲がり樋の端部との間に亙るように嵌め込み、入隅用曲がり樋の端部で前壁の上端部と連出片と前耳部と内継手の前壁の上端部とで囲まれた隙間を閉塞する乾式のシール材を隙間に装填したことを特徴とする屋根の入隅部における軒樋の接続構造。
【請求項２】
上記乾式のシール材として発泡材を用いたことを特徴とする請求項１記載の屋根の入隅部における軒樋の接続構造。
【発明の詳細な説明】
【０００１】
【発明の属する技術分野】
本発明は、屋根の入隅部で軒樋を接続する構造に関するものである。
【０００２】
【従来の技術】
近年、軒樋Ａとして図３に示すように前壁１と後壁２と底壁３とからなり、前壁１の上端から後方に連出片４を連出すると共に連出片４の先端に下方に突出するように前耳部５を設けて前壁１の上端部と連出片４と前耳部５とで囲まれた下方を開口せる隙間６を長手方向の全長に亙って設け、後壁２の上端に前方に突出するように後耳部７を設けたものが提供されている。
【０００３】
この軒樋Ａを支持するための軒樋吊り具Ｄは軒樋吊り具本体８の先端に斜め上方に突出する前係止部９を設け、軒樋吊り具本体８の後部に後嵌合部１６を設け、軒樋吊り具本体８の後端に取り付け板１０を設け、軒樋吊り具本体の前後方向の中間の位置から下方に底部押さえ片１１を垂下してある。この軒樋吊り具Ｄは取り付け板１０を軒先の鼻板等に固定することで軒先に取り付けられ、軒樋吊り具Ｄを取り付けた後に次のように軒樋Ａを取り付けている。つまり、図３（ａ）に示すように軒樋Ａの前耳部５を軒樋吊り具Ｄの前係止部９に係止し、この状態で図３（ｂ）に示すように軒樋Ａを回転して前係止部９を隙間６に挿入係止し、さらに軒樋Ａを回転して図３（ｃ）に示すように後耳部７を後嵌合部１６に嵌合し、底部押さえ片１１の下端を軒樋Ａの底壁２に当接している。
【０００４】
このように軒樋Ａを取り付けるのであるが、屋根１３の入隅部では直交するように取り付けた軒樋Ａ同士が入隅用曲がり樋Ｂ及び内継手Ｃを介して図４や図５に示すように接続される（例えば、特許文献１参照）。入隅用曲がり樋Ｂも軒樋Ａと同様に前壁１と後壁２と底壁３とからなり、軒樋Ａと同一の断面形状に形成されているが、平面から見て略Ｌ字状になるように形成してある。この入隅用曲がり樋Ｂは直交するように取り付けた一対の軒樋Ａの端部間に配置され、軒樋Ａの長手方向の端部と入隅用曲がり樋Ｂの端部とが対向さられる。
【０００５】
内継手Ｃは前壁１′と後壁２′と底壁３′とからなり、軒樋Ａや入隅用曲がり樋Ｂの前耳部５と後耳部７との間の内面に沿う形状に形成され、前壁１′と後壁２′との間に取っ手の機能と突っ張りの機能を兼用する連結片１２を架設してある。軒樋Ａの長手方向の端部と入隅用曲がり樋Ｂの端部を対向させた部分ではこれらの端部間に亙るように内継手Ｃが所謂パッチン方式で嵌め込まれ、軒樋Ａと入隅用曲がり樋Ｂとが防水的に接続される。図４で１４は屋根１３の谷樋であり、入隅部では主に谷樋１３から集中的に入隅用曲がり樋Ｂに雨水が流入するようなっている。
【０００６】
【特許文献１】
特開平６−３１３３４９号公報
【０００７】
【発明が解決しようとする課題】
通常、屋根１３の瓦１５上から軒樋Ａ内に流れ込む雨水の流れが強い場合、勢い良く流れ込んだ雨水は図６の矢印のように軒樋Ａ内で跳ねて軒樋Ａの内面に隈なく水跳ねを起こす。特に入隅用曲がり樋Ｂの部分では谷樋１４から大量の雨水が流れ込むため入隅用曲がり樋Ｂ内で図４の矢印（破線で示す）のように水跳ねを起こす。
【０００８】
ところで軒樋Ａと入隅用曲がり樋Ｂの端部とを内継手Ｃで接続した部分では、入隅用曲がり樋Ｂの隙間６の下方の開口が内継手Ｃで塞がれてトンネル状になる。このため図４の矢印（破線で示す）のように跳ねた水が隙間６のトンネル状になった部分に流れ込み、隙間６のトンネル状になった部分を通過した雨水は軒樋Ａの前壁１の上端部の長手方向と端部と入隅用曲がり樋Ｂの前壁１の上端部の端部との間の間隙から外に零れ落ちるという問題がある。
【０００９】
本発明は上記の点に鑑みてなされたものであり、軒樋の長手方向の端部と入隅用曲がり樋の長手方向の端部との間から雨水が零れ落ちるのを確実に防止できる屋根の入隅部における軒樋の接続構造を提供することを課題とするものである。
【００１０】
【課題を解決するための手段】
上記課題を解決するための本発明の屋根の入隅部における軒樋の接続構造は、前壁１の上端から後方に連出した連出片４に前耳部５を設けると共に軒樋吊り具Ｄの先端の前係止部９を挿入係止し得る隙間６を前壁１の上端部と連出片４と前耳部５で囲まれた部分に下方を開口するように設けた軒樋Ａを屋根１３の軒先に沿って配置し、上記軒樋Ａと同一の断面形状で平面から見て略Ｌ字状に形成せる入隅用曲がり樋Ｂを屋根１３の入隅部の軒先に沿って配置し、軒樋Ａの長手方向の端部と入隅用曲がり樋Ｂの端部とを対向させ、軒樋Ａや入隅用曲がり樋Ｂの内周に沿う内継手Ｃを軒樋Ａの端部と入隅用曲がり樋Ｂの端部との間に亙るように嵌め込み、入隅用曲がり樋Ｂの端部で前壁１の上端部と連出片４と前耳部５と内継手Ｃの前壁１′の上端部とで囲まれた隙間６を閉塞する乾式のシール材１７を隙間６に装填したことを特徴とする。上記のように構成したことにより、入隅用曲がり樋Ｂの前壁１の上端部と内継手Ｃの前壁１′の上端部との間に形成されるトンネル状の隙間６がシール材１７で閉塞され、軒樋Ａの前壁１の上端部の長手方向の端部と入隅用曲がり樋Ｂの前壁１の上端部の端部との間の間隙から雨水が外に零れ落ちるのを防止できる。
【００１１】
また上記乾式のシール材１７として発泡材を用いたことを特徴とすることも好ましい。この場合、シール材１７が一層弾性的に密着して確実にシールできる。
【００１２】
【発明の実施の形態】
軒樋Ａは先に述べたように前壁１と後壁２と底壁３とからなり、前壁１の上端から後方に連出片４を連出すると共に連出片４の先端に下方に突出するように前耳部５を設けて前壁１の上端部と連出片４と前耳部５とで囲まれた下方を開口せる隙間６を長手方向の全長に亙って設け、後壁２の上端に前方に突出するように後耳部７を設けてある。
【００１３】
また入隅用曲がり樋Ｂも軒樋Ａと同様に前壁１と後壁２と底壁３とからなり、軒樋Ａと同一の断面形状に形成されているが、平面から見て略Ｌ字状になるように形成してある。本発明の場合、この入隅用曲がり樋Ｂの長手方向の両端において、前壁１の上端部と連出片４と前耳部５とで囲まれる隙間６を閉塞するように乾式のシール材１７を充填してある。かかるシール材１７は、樹脂やゴム等の発泡材にて形成されていることが好ましい。
【００１４】
内継手Ｃも、前壁１′と後壁２′と底壁３′とからなり、軒樋Ａや入隅用曲がり樋Ｂの前耳部５と後耳部７との間の内面に沿う形状に形成され、前壁１′と後壁２′との間に取っ手の機能と突っ張りの機能を兼用する連結片１２を架設してある。
【００１５】
屋根１３の軒先に沿って軒樋Ａが配置され、軒樋Ａが先に述べたように軒樋吊り具Ｄにて吊り支持される。屋根１３の入隅部には入隅用曲がり樋Ｂが配置され、図１に示すように軒樋Ａの長手方向の端部と入隅用曲がり樋Ｂの端部とは突き合わせるように対向させられる。軒樋Ａの端部と入隅用曲がり樋Ｂの端部とを対応させた部分にはこの部分の内周に沿うように内継手Ｃが所謂パッチン方式で嵌め込まれて軒樋Ａと入隅用曲がり樋Ｂとが接続される。
【００１６】
入隅用曲がり樋Ｂの部分では谷樋１４から大量の雨水が流れ込むため入隅用曲がり樋Ｂ内で図４の矢印のように水跳ねを起こし、図４の矢印のように跳ねた水が隙間６のトンネル状になった部分に流れ込むが、この部分ではこの隙間６がシール材１７にて閉塞されているためにそれ以上先に流れるのが遮断され、軒樋Ａの前壁１の上端部の長手方向と端部と入隅用曲がり樋Ｂの前壁１の上端部の端部との間の間隙から雨水が外に零れ落ちるのを防止できる。
【００１７】
【発明の効果】
本発明の請求項１の発明は、叙述の如く入隅用曲がり樋の端部で前壁の上端部と連出片と前耳部と内継手の前壁の上端部とで囲まれた隙間を閉塞する乾式のシール材を隙間に装填したので、軒樋と入隅用曲がり樋とを内継手で接続したとき入隅用曲がり樋の前壁の上端部と内継手の前壁の上端部との間に形成されるトンネル状の隙間がシール材で閉塞され、軒樋の前壁の上端部の長手方向の端部と入隅用曲がり樋の前壁の上端部の端部との間の間隙から雨水が外に零れ落ちるのを防止できるものである。
【００１８】
また本発明の請求項２の発明は、請求項１において、乾式のシール材として発泡材を用いたので、シール材が一層弾性的に密着して確実にシールできるものである。
【図面の簡単な説明】
【図１】本発明の実施の形態の一例を説明する平面図である。
【図２】（ａ）は図１のＸ−Ｘ線断面図、（ｂ）は（ａ）の要部拡大断面図である。
【図３】（ａ）（ｂ）（ｃ）は軒樋継手に軒樋を取り付ける状態を示す側面図である。
【図４】（ａ）は従来例の水漏れ説明する斜視図、（ｂ）は（ａ）のＹ部を拡大せる斜視図である。
【図５】軒樋に内継手を嵌めて接続した状態の断面図である。
【図６】軒樋の水跳ねを説明する説明図である。
【符号の説明】
Ａ  軒樋
Ｂ  入隅用曲がり樋
Ｃ  内継手
Ｄ  軒樋吊り具
１  前壁
２  後壁
３  底壁
４  連出片
５  前耳部
６  隙間
１７  シール材
【図１】
2004324110.tif 000003
【図２】
2004324110.tif 000004
【図３】
2004324110.tif 000005
【図４】
2004324110.tif 000006
【図５】
2004324110.tif 000007
【図６】
2004324110.tif 000008